(57)【要約】【課題】携帯電子機器において、電池蓋にアンテナを実装しながら、電池蓋の薄型化を可能とし、その結果として機器ケースの薄型化を可能とする。【解決手段】機器ケース１の電池収納用開口部に取り付けられる電池蓋８を備える携帯電子機器において、電池蓋８にアンテナ２１を実装し、機器ケース１内に実装された回路と電池蓋８に実装したアンテナ２１とを、当該アンテナ端子２３に弾接する接点バネ２５・２６を介して接続する。さらに具体的には、機器ケース１の電池収納用開口部に、回路基板６に実装した接点バネ２６と、回路基板６に接続したコネクタピン２７とを備える。そして、アンテナ端子２３は、電池収納用開口部に電池蓋８を取り付ける際において、接点板２５を介して、先行して接点バネ２６に接続してから、電池蓋８のスライド動作でコネクタピン２７に接続する。【選択図】図４
2008054113.tif 000002
【特許請求の範囲】
【請求項１】
機器ケースの電池収納用開口部に取り付けられる電池蓋を備える携帯電子機器において、
電池蓋にアンテナを実装し、
機器ケース内に実装された回路と前記電池蓋に実装したアンテナとを、当該アンテナの端子に弾接する接点を介して接続したことを特徴とする携帯電子機器。
【請求項２】
前記電池収納用開口部に、前記回路の基板に実装した接点バネと、前記回路の基板に接続したコネクタとを備えることを特徴とする請求項１に記載の携帯電子機器。
【請求項３】
前記アンテナの端子は、前記電池収納用開口部に前記電池蓋を取り付ける際において、先行して前記接点バネに接続してから、電池蓋のスライド動作で前記コネクタに接続することを特徴とする請求項２に記載の携帯電子機器。
【発明の詳細な説明】
【技術分野】
【０００１】
本発明は、外部機器と電磁界信号を介して通信するＲＦＩＤ（Radio Frequency Identification）を搭載した携帯電子機器に関する。
【背景技術】
【０００２】
モバイル機器において、アンテナコイルと、アンテナコイルに接続されたＩＣチップ及び電磁シールド材とで構成された無線通信モジュールを、電池蓋の内側に一体で構成したものがある（特許文献１参照）。
また、電池の外側に配置されて電池蓋との間に位置する、アンテナコイルの形成されたフレキシブル基板を、コネクタを介して、携帯電話機の他の場所に実装されているＩＣカードに接続したものもある（特許文献２参照）。
【特許文献１】特開２００３−６７６９２号公報
【特許文献２】特開２００４−２２７０４６号公報（段落００４７、図５）
【発明の開示】
【発明が解決しようとする課題】
【０００３】
しかし、特許文献１に開示の構成は、電池蓋の内側にアンテナコイルとともにＩＣチップも設けることから、電池蓋が厚くなってしまう。
また、特許文献２に開示の構成は、電池と電池蓋との間にアンテナコイルの形成されたフレキシブル基板を配置するので、電池を出し入れする際に、フレキシブル基板を引き起こす必要があり、電池を出し入れ作業が面倒である。
【０００４】
本発明の課題は、携帯電子機器において、電池蓋にアンテナを実装しながら、電池蓋の薄型化を可能とし、その結果として機器ケースの薄型化を可能とすることである。
【課題を解決するための手段】
【０００５】
以上の課題を解決するため、請求項１に記載の発明は、機器ケースの電池収納用開口部に取り付けられる電池蓋を備える携帯電子機器において、電池蓋にアンテナを実装し、機器ケース内に実装された回路と前記電池蓋に実装したアンテナとを、当該アンテナの端子に弾接する接点を介して接続したことを特徴とする。
【０００６】
請求項２に記載の発明は、請求項１に記載の携帯電子機器であって、前記電池収納用開口部に、前記回路の基板に実装した接点バネと、前記回路の基板に接続したコネクタとを備えることを特徴とする。
【０００７】
請求項３に記載の発明は、請求項２に記載の携帯電子機器であって、前記アンテナの端子は、前記電池収納用開口部に前記電池蓋を取り付ける際において、先行して前記接点バネに接続してから、電池蓋のスライド動作で前記コネクタに接続することを特徴とする。
【発明の効果】
【０００８】
本発明によれば、電池蓋にアンテナを実装することで、外部機器とのＲＦＩＤによる非接触データ通信の性能を確保しながら、電池蓋にはアンテナで受信された信号を処理するＩＣチップを設ける必要がないので、電池蓋を薄型化でき、その結果として機器ケースを薄型化できる。
【発明を実施するための最良の形態】
【０００９】
以下、図を参照して本発明を実施するための最良の形態を詳細に説明する。
図１は本発明を適用した携帯電子機器の一実施形態としての折り畳み式携帯電話機を開いた状態で示したものであり、その機器ケースは、第一の筐体１と第二の筐体２がヒンジ部３を介して互いに折り畳み自在に連結して構成されている。
第一の筐体１には、各種キーによる操作部４等が備えられている。第二の筐体２には、メイン表示部５等が備えられている。
【００１０】
図２は図１の携帯電話機を折り畳んだ状態での中央縦断面図で、第一の筐体１内には、回路基板６、電池７等が収納されている。電池７は、回路基板６を挟んで操作部４と反対側に配置され、電池蓋８で覆われている。なお、第二の筐体２には、サブ表示部９等が設けられている。サブ表示部９は、メイン表示部５と反対側に配置されている。
【００１１】
図３は図１の携帯電話機を折り畳んだ状態での第一の筐体１の裏面側を示す底面図であり、矢印Ｃは電池蓋８の閉じ方向を示し、矢印Ｏは電池蓋８の開き方向を示している。
【００１２】
図４は図３の矢印Ａ−Ａ線に沿った断面図で、第一の筐体１は、下ケース１１、上ケース１２及び中ケース１３をビス止めにより合体して構成されている。回路基板６は、ＲＦＩＤ用の回路を含む各種回路を実装し、中ケース１３にビス止めして固定されている。なお、図５は図４の接点部Bの拡大図である。
【００１３】
図６及び図７は電池蓋８の内側面に貼り付けるＲＦＩＤ用アンテナ２１及び電波吸収シート２２を示したもので、ＲＦＩＤ用アンテナ２１は、アンテナコイルを形成したフレキシブル基板により構成されている。このＲＦＩＤ用アンテナ２１は、一方の面に両面接着テープでフェライトシートによる電波吸収シート２２が貼り付けられ、他方の面が両面接着テープで電池蓋８の内側面に貼り付けられている。
【００１４】
そして、ＲＦＩＤ用アンテナ２１には、その一側辺部に沿って前後一対の端子２３が備えられている。この端子２３は、電池蓋８の内側面の一側辺部に沿って形成した前後一対の端子台２４の前後面の一面に沿って立ち上げられている。端子台２４には、その前後面を挟む接点バネ２５が装着されている。この接点バネ２５と端子台２４との間に端子２３が挟まれて、接点バネ２５が端子２３に接続されている。
【００１５】
また、図９に示すように、下ケース１１の電池収納用開口部の奥方には、回路基板６の裏面が位置しており、この回路基板６の裏面には、電池収納用開口部の一側辺部に沿って一対の接点バネ２６が実装されている。
さらに、下ケース１１の電池収納用開口部の一側辺部に沿った部分には、一対のコネクタピン２７が組み付けられている。このコネクタピン２７は、図１０に示すように、その先端を接点バネ２６の近傍に向けて配置されている。このコネクタピン２７の外周には、図４に示すように、接点バネ２８が取り付けられている。この接点バネ２８は、回路基板６の裏面に設けられた接点に弾接状態となっている。
【００１６】
以上において、電池蓋８の閉じ方向Ｃ（図３参照）のスライドは、図７に示すように、電池蓋８の内側面の周囲に沿って形成した係止突部３１・３２・３３・３４・３５が、図９に示すように、下ケース１１の電池収納用開口部の周囲に沿って形成した係止凹部４１・４２・４３・４４・４５にそれぞれ係止することでロック状態に保たれる。図１１はその状態を示したもので、係止突部３４が係止凹部４４に係止している。また、このとき、電池蓋８側の接点バネ２５は、回路基板６側の接点バネ２６及び下ケース１１の電池収納用開口部の一側辺部に設けられたコネクタピン２７に弾接状態になっている。
【００１７】
また、電池蓋８の図３の開き方向Ｏ（図３及び図８参照）のスライドは、図８に示すように、下ケース１１の電池収納用開口部の周囲に組み付けた押釦４６を押すことにより前述した閉じ方向のロック状態が解除されることで許容される。
すなわち、押釦４６は、図示しないバネにより突出方向に付勢されて下ケース１１の表面と面一状態に保持されており、下ケース１１の電池収納用開口部内に位置する押え突部４７を一体に有している。この押え突部４７は、図１１に示すように、係止凹部４４に係止状態の係止突部３４を背面から押えている。
【００１８】
次に、電池蓋８を装着する際のＲＦＩＤ用アンテナ２１の接点接続について説明する。
電池蓋８の装着は、その内側面周囲の係止突部３１・３２・３３・３４・３５を、下ケース１１の電池収納用開口部周囲の係止凹部４１・４２・４３・４４・４５にそれぞれ挿入する。これにより、図１２に示すように、電池蓋８側の接点バネ２５が回路基板６側の接点バネ２６に弾接状態になる。従って、電池蓋８の内側面に実装したＲＦＩＤ用アンテナ２１の端子２３が、接点バネ２５・２６を介して、回路基板６に実装したＲＦＩＤ用の回路に接続される。
【００１９】
そして、電池蓋８を閉じ方向Ｃにスライドさせると、図１１に示すように、電池蓋８側の接点バネ２５が下ケース１１側のコネクタピン２７に弾接し、続いてコネクタピン２７を押し込んだ状態になる。ここで、コネクタピン２７の外周に取り付けた接点バネ２８は、回路基板６の裏面に設けられた接点に接続状態となっている。
従って、電池蓋８側のＲＦＩＤ用アンテナ２１の端子２３は、接点バネ２５、コネクタピン２７及び接点バネ２８を介して、同じく、回路基板６側のＲＦＩＤ用の回路に接続された状態になる。
【００２０】
以上のように、折り畳み式携帯電話機において、電池蓋８の内側面にＲＦＩＤ用アンテナ２１を実装したことで、外部機器とのＲＦＩＤによる非接触データ通信の性能を確保できる。
そして、電池蓋８にはＲＦＩＤ用アンテナ２１のみを実装して、そのＲＦＩＤ用の回路は回路基板６に実装したことで、電池蓋８にはＲＦＩＤ用の回路（ＩＣチップ）を設ける必要がなく、その分だけ電池蓋を薄型化できるものとなる。従って、その結果として第一の筐体１を薄型化できるものとなる。
【００２１】
また、電池蓋８に実装したＲＦＩＤ用アンテナ２１の端子２３に設けた接点バネ２５を、接点バネ２６を介して、回路基板６に実装したＲＦＩＤ用の回路に接続した上で、さらに、別のコネクタピン２７及び接点バネ２８を介して、同じくＲＦＩＤ用の回路に接続したことで、これら二系統の接点接続構造により、携帯時におけるＲＦＩＤによる非接触データ通信機能を確保できるものとなる。
【００２２】
なお、以上の実施形態においては、携帯電子機器として折り畳み式携帯電話機としたが、本発明はこれに限定されるものではなく、ＰＤＡ、その他の携帯型の電子機器であっても良い。
また、電池蓋及びアンテナの形状等も任意であり、その他、具体的な細部構造等についても適宜に変更可能であることは勿論である。
【図面の簡単な説明】
【００２３】
【図１】本発明を適用した携帯電子機器の一実施形態の構成を示すもので、折り畳み式携帯電話機を開いた状態の正面図である。
【図２】図１の携帯電話機を折り畳んだ状態での中央縦断面図である。
【図３】図１の携帯電話機を折り畳んだ状態での第一の筐体１の裏面側を示す底面図である。
【図４】図３の矢印Ａ−Ａ線に沿った断面図である。
【図５】図４の接点部Bの拡大図である。
【図６】電池蓋とアンテナ及び電波吸収シートの貼り付けを示す分解斜視図である。
【図７】電池蓋とアンテナ及び電波吸収シートの貼り付け後を示した斜視図である。
【図８】図３の電池蓋を外す際を示した斜視図である。
【図９】電池蓋を外した状態を示した斜視図である。
【図１０】図９の接点部の拡大図である。
【図１１】接点部の接続状態（ロック時）を示した縦断面図である。
【図１２】接点部のロック解除時を示した縦断面図である。
【符号の説明】
【００２４】
１・２  機器ケース
３  ヒンジ部
４  操作部
５  メイン表示部
６  回路基板
７  電池
８  電池蓋
９  サブ表示部
１１  下ケース
１２  上ケース
１３  中ケース
２１  アンテナ
２２  電波吸収シート
２３  端子
２４  端子台
２５  接点バネ
２６  接点バネ
２７  コネクタピン
２８  接点バネ
３１・３２・３３・３４・３５  係止突部
４１・４２・４３・４４・４５  係止凹部
４６  押釦
４７  押え突部
【図１】
2008054113.tif 000003
【図２】
2008054113.tif 000004
【図３】
2008054113.tif 000005
【図４】
2008054113.tif 000006
【図５】
2008054113.tif 000007
【図６】
2008054113.tif 000008
【図７】
2008054113.tif 000009
【図８】
2008054113.tif 000010
【図９】
2008054113.tif 000011
【図１０】
2008054113.tif 000012
【図１１】
2008054113.tif 000013
【図１２】
2008054113.tif 000014